(57)【要約】【課題】記憶素子を備え、ＶＣＯＭ反転信号と画像データ信号のタイミングが同期していない液晶において、ＶＣＯＭ反転信号と画像データ信号の競合を避ける。【解決手段】液晶制御部６０は、画像信号に応じた電位を保持し、イネーブル信号の活性化により保持する電位を変更する記憶素子、および、前記記憶素子が保持する電位に応じた電圧が印加される表示素子を備えた画素が複数配されている液晶パネル７を駆動制御する。この液晶制御部６０は、液晶パネル７へ出力する画像信号を活性化するイネーブル信号の出力を、液晶パネル７の表示素子に印加する交流電圧の極性を反転させる前の期間thからその後の期間（tr+ts）に亘って保留する。液晶制御部６０は、液晶パネル７の表示素子に印加する交流電圧の極性反転を、イネーブル信号の出力期間とその後の期間thに亘って保留する。【選択図】図１
2019168528.tif 000002
【特許請求の範囲】
【請求項１】
画像信号に応じた電位を保持し、イネーブル信号の活性化により保持する電位を変更する記憶素子、および、前記記憶素子が保持する電位に応じた電圧が印加される表示素子を備えた画素が複数配されている液晶パネルを駆動制御する液晶制御回路であって、
前記液晶制御回路は、前記イネーブル信号の出力を、前記表示素子に印加する交流電圧の極性を反転させる前の第１の所定期間から、前記交流電圧の極性を反転させた後の第２の所定期間に亘って保留し、
前記表示素子に印加する交流電圧の極性反転を、前記イネーブル信号の出力期間とその後の前記第１の所定期間に亘って保留する、
ことを特徴とする液晶制御回路。
【請求項２】
前記表示素子に印加する交流電圧の極性は、前記イネーブル信号の出力によって保留されないとき、予め定められた周期で反転する、
ことを特徴とする請求項１に記載の液晶制御回路。
【請求項３】
画像信号に応じた電位を保持する記憶素子、および、前記記憶素子が保持する電位に応じた電圧が印加される表示素子を備えた画素が複数配されている液晶パネルを駆動制御する液晶制御回路であって、
前記液晶制御回路は、前記表示素子に印加する交流電圧の極性反転を要求する反転要求信号を予め定められた周期で出力するカウンタと、
前記反転要求信号により交流電圧の極性を反転させる極性反転部と、
出力要求信号により、前記液晶パネルへ出力する前記画像信号を活性化するイネーブル信号を出力するイネーブル信号出力部と、
前記反転要求信号を前記極性反転部に出力するか、または前記出力要求信号を前記イネーブル信号出力部に出力するかを決定する排他出力制御部と、
を備えることを特徴とする液晶制御回路。
【請求項４】
前記極性反転部は、前記反転要求信号から第１の所定期間が経過すると、交流電圧の極性を反転させる、
ことを特徴とする請求項３に記載の液晶制御回路。
【請求項５】
請求項１から４のうちいずれか１項に記載の液晶制御回路と、
前記液晶パネルと、
を備えた電子時計。
【請求項６】
画像信号に応じた電位を保持し、イネーブル信号の活性化により保持する電位を変更する記憶素子、および、前記記憶素子が保持する電位に応じた電圧が印加される表示素子を備えた画素が複数配されている液晶パネルを駆動制御する液晶制御方法であって、
前記表示素子に印加する交流電圧の極性を反転させたのちに、前記イネーブル信号の出力を、前記表示素子に印加する交流電圧の極性を反転させる前の第１の所定期間から、前記交流電圧の極性を反転させた後の第２の所定期間に亘って保留し、
前記表示素子に印加する交流電圧の極性反転を、前記イネーブル信号の出力期間と、その後の前記第１の所定期間に亘って保留する、
ことを特徴とする液晶制御方法。
【発明の詳細な説明】
【技術分野】
【０００１】
本発明は、液晶制御回路、電子時計、および液晶制御方法に関する。
【背景技術】
【０００２】
近年、携帯電話に代表されるモバイル機器の進化は目覚ましく、搭載されるディスプレイに対する高性能化と高機能化の要求はますます高くなっている。ディスプレイへの要求性能としては、大画面化、高精細化、薄型軽量化、狭額縁化、低消費電力化、高輝度化、広視野角化、高速応答化等がある。
【０００３】
また、モバイル機器は多くの場合バッテリにより駆動されるため、システムの消費電力とバッテリ容量により使用時間が決定される。そのため、システムとしての低消費電力化は必須となり、機器に搭載されるデバイス個々にも低消費電力化が非常に強く要求される。このような用途には、ＭＩＰ（メモリインピクセル）液晶が適している。
【０００４】
特許文献１には、ＭＩＰ液晶の発明が記載されている。特許文献１の要約書には、「デジタルデータ画像表示を行う際には、第１表示制御線１−ｎから供給されるデジタルデータをデジタルメモリ素子１００に書き込み、メモリ記憶内容に応じて第２スイッチ素子９又は第３スイッチ素子１０を介して第２表示制御線２−ｎもしくは第３表示制御線３から白もしくは黒表示基準電圧を画素電極５に供給する。またアナログデータ表示を行う際には、デジタルメモリ素子１００を非アクティブにし、第２スイッチ素子９を介して第２表示制御線２−ｎから供給されるアナログデータを画素電極５に供給する。」と記載されている。
【０００５】
一般的な液晶では、モバイル機器の待ち受けに使われるような静止画像であっても、電流を流し続けなければ、その静止画像を表示し続けることができない。これに対してＭＩＰ液晶は、画面を構成する画素の中にメモリを持っており、一度画像を表示させると、僅かな電流で、その静止画像が表示される。
【０００６】
ＭＩＰ液晶は、表示用途の素子として競合する電子ペーパに対し、データ更新時の消費電力の小ささと画像書き換え時間の短さ、明環境と暗環境における視認性において優位性を持っている。電子ペーパは画面を書き換える際に画面のリフレッシュが必要であるため、動画を表示できないが、ＭＩＰ液晶は動画表示が可能である。
【０００７】
またＭＩＰ液晶は、表示用途の素子として競合する有機ＥＬ（electro-luminescence）に対し、消費電力と明環境における視認性で優位性を有している。有機ＥＬは自発光特性を有する各表示素子に一定の電流が流れるが、ＭＩＰ液晶では、静止画像を表示し続けているとき、各表示素子に電流は流れない。
【先行技術文献】
【特許文献】
【０００８】
【特許文献１】特開２００３−１７７７１７号公報
【発明の概要】
【発明が解決しようとする課題】
【０００９】
例えば、ＭＩＰ液晶のように記憶素子を備えた液晶パネルは、液晶の信頼性を保つために表示素子に印加するＶＣＯＭ反転信号と画像データ信号のタイミングとが同期していない。このような液晶パネルにおいて、その出力タイミングが重なってしまうと正常に画像の書き込みが行われない可能性がある。そのため、ＶＣＯＭ反転信号と画像データ信号の競合を避けるタイミング制御が必要である。
【００１０】
そこで、本発明は、液晶パネルのように、記憶素子を備え、液晶の信頼性を保つためのＶＣＯＭ反転信号と画像データ信号のタイミングが同期していない液晶において、ＶＣＯＭ反転信号と画像データ信号の競合を避けることを課題とする。
【課題を解決するための手段】
【００１１】
本発明は、上記目的を達成するため、
画像信号に応じた電位を保持し、イネーブル信号の活性化により保持する電位を変更する記憶素子、および、前記記憶素子が保持する電位に応じた電圧が印加される表示素子を備えた画素が複数配されている液晶パネルを駆動制御する液晶制御回路であって、
前記液晶制御回路は、前記イネーブル信号の出力を、前記表示素子に印加する交流電圧の極性を反転させる前の第１の所定期間から、前記交流電圧の極性を反転させた後の第２の所定期間に亘って保留し、
前記表示素子に印加する交流電圧の極性反転を、前記イネーブル信号の出力期間とその後の前記第１の所定期間に亘って保留する、
ことを特徴とする液晶制御回路である。
【発明の効果】
【００１２】
本発明によれば、記憶素子を備え、液晶の信頼性を保つためのＶＣＯＭ反転信号と画像データ信号のタイミングが同期していない液晶において、ＶＣＯＭ反転信号と画像データ信号の競合を避けることが可能となる。
【図面の簡単な説明】
【００１３】
【図１】本実施形態の液晶制御部を含む電子時計の概略を示す構成図である。
【図２】電子時計の外観図である。
【図３】ＶＣＯＭ反転カウンタの処理のフローチャートである。
【図４】タイミング管理部の処理のフローチャートである。
【図５】変形例におけるタイミング管理部の処理のフローチャートである。
【図６】ＶＣＯＭ反転フラグ出力部の処理のフローチャートである。
【図７】ＶＣＯＭ反転フラグとＶＣＯＭを示すタイムチャートである。
【図８】ＶＣＯＭの反転によりデータ送信が保留された場合を示すタイムチャートである。
【図９】データ送信によりＶＣＯＭの反転が保留された場合を示すタイムチャートである。
【図１０】データ送信とＶＣＯＭ反転カウンタのイベントが同時の発生した場合を示すタイムチャートである。
【発明を実施するための形態】
【００１４】
以降、本発明を実施するための形態を、各図を参照して詳細に説明する。
本実施形態は、液晶パネルの極性信号であるＶＣＯＭ反転信号とデータ信号の競合を避けるタイミング制御を行う。本実施形態は、ＶＣＯＭが先に出力された場合と、データが先に出力された場合の両方に対応している。
【００１５】
《ハードウェア構成》
図１は、本実施形態の液晶制御部６０を含む電子時計の概略を示す構成図である。
電子時計１は、発振器３と、マイクロコントローラ８と、これと電気的に接続された液晶パネル７とを備える。なお、図では発振器３のことを“OSC”と記載している。液晶パネル７は、例えばＭＩＰ（メモリインピクセル）液晶であり、画像信号に応じた電位を保持し、イネーブル信号の活性化により保持する電位を変更する記憶素子、および、前記記憶素子が保持する電位に応じた電圧が印加される表示素子を備えた画素が複数配されている。発振器３は、周期性を持つ持続的な振動を発生させる素子であり、例えば水晶発振器などである。
【００１６】
マイクロコントローラ８は、ＣＰＵ（Central Processing Unit）２と、ＲＯＭ（Read Only Memory）４と、ＲＡＭ（Random Access Memory）５と、ペリフェラル部６とを備えた集積回路である。マイクロコントローラ８は、ＣＰＵ２によってＲＯＭ４に格納された制御プログラムを実行することで、この電子時計を統轄制御する。ＣＰＵ２は、制御プログラムを実行する際のワークエリアとして、ＲＡＭ５を使用する。
【００１７】
ペリフェラル部６は、液晶パネル７の表示を駆動制御する液晶制御部６０と、待ち時間などを計測するタイマ６６と、割込信号を生成してＣＰＵ２に出力する割込信号生成部６７を備える。
液晶制御部６０は、タイミング管理部６１と、画像データ出力部６２と、イネーブル信号出力部６３と、ＶＣＯＭ反転フラグ出力部６４と、ＶＣＯＭ信号生成部６５を備える。この液晶制御部６０は、液晶パネル７の表示を駆動制御する液晶制御回路である。
【００１８】
液晶制御部６０は、イネーブル信号の出力を、液晶パネル７の表示素子に印加する交流電圧の極性を反転させる前の期間th（第１の所定期間）から、この交流電圧の極性を反転させた後の期間（tr+ts）（第２の所定期間）に亘って保留する。ここで、「保留」とは、その時点以前の状態を保持することを意味する（以下、同じ意味で「保留」を使用する。）。なおイネーブル信号は、液晶パネル７の記憶素子が保持する電位を変更するものである。つまり、イネーブル信号を活性化することにより、液晶パネル７の記憶素子が保持する電位を変更することができる。
【００１９】
液晶制御部６０は更に、液晶パネル７の表示素子に印加する交流電圧の極性反転を、イネーブル信号の出力期間と、その後の期間th（第１の所定期間）に亘って保留する。これにより、液晶制御部６０は、交流電圧の極性反転からイネーブル信号の出力開始までの期間として、期間（tr+ts）を確保している。液晶制御部６０は更に、イネーブル信号の出力終了から交流電圧の極性反転までの期間として、期間thを確保している。
【００２０】
タイミング管理部６１は、ＶＣＯＭ反転カウンタ６１３と排他出力制御部６１２とを備える。タイミング管理部６１は、ＣＰＵ２が出力するイネーブル送信フラグ６１１を処理して、ＶＣＯＭ反転フラグ出力部６４、またはイネーブル信号出力部６３に出力する。
ＶＣＯＭ反転カウンタ６１３は、特殊機能レジスタ（ＳＦＲ：Special Function Register）で設定した周期tcに達したことを通知するものである。ＶＣＯＭ反転カウンタ６１３は、液晶パネル７の表示素子に印加する交流電圧の極性反転を要求する反転要求信号を予め定められた周期で出力するカウンタとして機能する。
【００２１】
排他出力制御部６１２は、画像データ出力部６２へのイネーブル送信フラグと、ＶＣＯＭ反転カウンタ６１３への信号を排他的に出力する。つまり、排他出力制御部６１２は、画像データ出力期間中は、ＶＣＯＭ反転カウンタ６１３の出力をＶＣＯＭ反転フラグ出力部６４に出力せずに保留する。排他出力制御部６１２は更に、ＶＣＯＭ反転フラグの出力期間中は、ＣＰＵ２が出力したイネーブル送信フラグ６１１を、画像データ出力部６２に出力せずに保留する。排他出力制御部６１２は、反転要求信号をＶＣＯＭ反転フラグ出力部６４に出力するか、またはイネーブル送信フラグ（出力要求信号）をイネーブル信号出力部６３に出力するかを決定する。
【００２２】
ＶＣＯＭ反転フラグ出力部６４は、ＶＣＯＭ反転フラグとして所定値を出力する。このＶＣＯＭ反転フラグは、ＶＣＯＭ信号生成部６５に対して交流電圧の極性を反転させる反転要求信号として機能する。ＶＣＯＭ反転フラグは、１ｂｉｔでも数ｂｉｔでもよく、限定されない。
画像データ出力部６２は、ＣＰＵ２が出力するイネーブル送信フラグ６１１に基づき、ＲＡＭ５に格納された画像データを液晶パネル７に転送するものである。画像データ出力部６２は、例えばＤＭＡ（Direct Memory Access）コントローラとして構成されてもよい。
【００２３】
ＶＣＯＭ信号生成部６５（極性反転部）は、遅延部６５１とＶＣＯＭ出力部６５２とを備える。遅延部６５１は、ＶＣＯＭ反転フラグ出力部６４から所定値が入力された所定期間th（第１の所定期間）が経過すると、ＶＣＯＭ出力部６５２に所定値を出力する。ＶＣＯＭ出力部６５２は、遅延部６５１から所定値が入力されると、出力信号であるＶＣＯＭの極性を反転する。なおＶＣＯＭ出力部６５２は、遅延部６５１から所定値が入力されると、単に出力信号値を変更してもよい。
つまり、ＶＣＯＭ信号生成部６５は、反転要求信号により交流電圧の極性を反転させる極性反転部として機能する。
【００２４】
図２は、電子時計１の外観図である。
この電子時計１は、デジタル腕時計であり、液晶パネル７に数字で時刻を表示する。この電子時計１は、極めて小さな電池で長期間に亘って駆動することが望まれるため、消費電力を低減することは極めて重要である。
【００２５】
《液晶制御部６０の動作》
図３は、ＶＣＯＭ反転カウンタ６１３の処理のフローチャートである。
ＶＣＯＭ反転カウンタ６１３は、時間と共に値が変化するカウンタであり、ここではＶＣＯＭの反転周期である周期tcを計時するために用いられている。なお、ＶＣＯＭ反転カウンタ６１３は、時間と共に値が増加してもよく、値が減少してもよい。
ＶＣＯＭ反転カウンタ６１３は、初期値からカウントを開始し（ステップＳ１０）、カウント値がtc相当になるまで繰り返す（ステップＳ１１→Ｎｏ）。
【００２６】
ＶＣＯＭ反転カウンタ６１３は、カウント値がtc相当になると（ステップＳ１１→Ｙｅｓ）、排他出力制御部６１２に所定値を出力する（ステップＳ１２）。周期tcに相当する値は、予めＶＣＯＭ反転カウンタ６１３に設定されている。
その後ＶＣＯＭ反転カウンタ６１３は、カウント値をリセットすると（ステップＳ１３）、ステップＳ１０に戻り、周期tcの計時を繰り返す。
【００２７】
図４は、排他出力制御部６１２とＶＣＯＭ反転フラグ出力部６４の処理のフローチャートである。
ＶＣＯＭ反転カウンタ６１３のカウント値がtc相当になり、排他出力制御部６１２に所定値が入力されると（ステップＳ２０→Ｙｅｓ）、ステップＳ２１の処理に進む。排他出力制御部６１２は、ＶＣＯＭ反転カウンタ６１３から所定値が入力されていないとき（ステップＳ２０→Ｎｏ）、ステップＳ２５の処理に進む。
【００２８】
ステップＳ２１において、排他出力制御部６１２は、イネーブル信号出力部６３への出力中であるか否かを判定する。排他出力制御部６１２は、イネーブル信号出力部６３に所定値を出力中ならば（ステップＳ２１→Ｙｅｓ）、このステップＳ２１の判定を繰り返す。言い換えると、ステップＳ２１の処理により、排他出力制御部６１２は、ＶＣＯＭ反転フラグのオンを、イネーブル信号の出力期間に亘って保留することができる。
【００２９】
排他出力制御部６１２は、イネーブル信号出力部６３に所定値を出力していないならば（ステップＳ２１→Ｎｏ）、ＶＣＯＭ反転フラグ出力部６４にＶＣＯＭ反転フラグをオンさせる（ステップＳ２２）。ＶＣＯＭ反転フラグ出力部６４は、所定期間（th+tr+ts）だけ経過したか否かを判定する（ステップＳ２３）。排他出力制御部６１２は、所定期間が経過していないならば（ステップＳ２３→Ｎｏ）、このステップＳ２３の判定を繰り返す。
ＶＣＯＭ反転フラグ出力部６４は、所定期間が経過したならば（ステップＳ２３→Ｙｅｓ）、ＶＣＯＭ反転フラグをオフして（ステップＳ２４）、ステップＳ２５の処理に進む。これらステップＳ２２〜Ｓ２４の処理により、所定期間に亘ってＶＣＯＭ反転フラグをオンすることができる。
【００３０】
ステップＳ２５において、排他出力制御部６１２は、イネーブル送信フラグ６１１がオンであるか否かを判定する。排他出力制御部６１２は、イネーブル送信フラグ６１１がオンでないならば（Ｎｏ）、ステップＳ２０の処理に戻る。
排他出力制御部６１２は、イネーブル送信フラグ６１１がオンならば（Ｙｅｓ）、イネーブル信号出力部６３にデータ送信を指示する（ステップＳ２６）。そして、排他出力制御部６１２は、イネーブル送信フラグをオフすると（ステップＳ２７）、ステップＳ２０の処理に戻る。
【００３１】
図５は、変形例における排他出力制御部６１２とＶＣＯＭ反転フラグ出力部６４の処理のフローチャートである。
排他出力制御部６１２は、イネーブル送信フラグ６１１がオンであるか否かを判定する（ステップＳ３０）。排他出力制御部６１２は、イネーブル送信フラグ６１１がオンでないならば（Ｎｏ）、ステップＳ３１の処理に進む。
【００３２】
ステップＳ３１において、排他出力制御部６１２は、ＶＣＯＭ反転カウンタ６１３から所定値が入力されたか否かを判定する。排他出力制御部６１２は、ＶＣＯＭ反転カウンタ６１３から所定値が入力されると（ステップＳ３１→Ｙｅｓ）、ステップＳ３２の処理に進む。排他出力制御部６１２は、ＶＣＯＭ反転カウンタ６１３から所定値が入力されていないとき（ステップＳ３１→Ｎｏ）、ステップＳ３０の処理に戻る。
【００３３】
ステップＳ３２において、排他出力制御部６１２は、ＶＣＯＭ反転フラグ出力部６４にＶＣＯＭ反転フラグをオンさせる。ＶＣＯＭ反転フラグ出力部６４は、所定期間（th+tr+ts）だけ経過したか否かを判定する（ステップＳ３３）。排他出力制御部６１２は、所定期間が経過していないならば（ステップＳ３３→Ｎｏ）、このステップＳ３３の判定を繰り返す。
ＶＣＯＭ反転フラグ出力部６４は、所定期間が経過したならば（ステップＳ３３→Ｙｅｓ）、ＶＣＯＭ反転フラグをオフして（ステップＳ３４）、ステップＳ３０の処理に戻る。これらステップＳ３２〜Ｓ３４の処理により、所定期間に亘ってＶＣＯＭ反転フラグをオンすることができる。
【００３４】
ステップＳ３０において排他出力制御部６１２は、イネーブル送信フラグ６１１がオンならば（Ｙｅｓ）、ステップＳ３６に進み、イネーブル信号出力部６３にデータ送信を指示する。その後、排他出力制御部６１２は、イネーブル送信フラグをオフすると（ステップＳ３７）、ステップＳ３０の処理に戻る。
【００３５】
図６は、ＶＣＯＭ信号生成部６５の処理のフローチャートである。ステップＳ４０〜Ｓ４２のフローチャートは、ＶＣＯＭ信号生成部６５を構成する遅延部６５１とＶＣＯＭ出力部６５２の動作を示している。
【００３６】
遅延部６５１は、ＶＣＯＭ反転フラグ出力部６４から出力されたＶＣＯＭ反転フラグのオフからオンへの立ち上がりを検知していないならば（ステップＳ４０→Ｎｏ）、このＶＣＯＭ反転フラグが立ち上がるまで待機する。ＶＣＯＭ反転フラグが立ち上がると（ステップＳ４０→Ｙｅｓ）、ステップＳ４１の判定に進む。
【００３７】
ステップＳ４１において、遅延部６５１は、期間thが経過するまで待機する（ステップＳ４１→Ｎｏ）。遅延部６５１は、期間thの経過後に（ステップＳ４１→Ｙｅｓ）、ＶＣＯＭ出力部６５２に対して、ＶＣＯＭ信号の極性を反転させる信号を出力する（ステップＳ４２）。ＶＣＯＭ出力部６５２がＶＣＯＭ信号の極性を反転すると、ステップＳ４０の処理に戻る。
【００３８】
図７は、ＶＣＯＭ反転フラグとＶＣＯＭを示すタイムチャートである。
時刻ｔ０において、ＶＣＯＭ反転フラグが立ち上がる。その後、時刻ｔ０から期間thが経過した時刻ｔ１において、ＶＣＯＭ信号の立ち上がりが開始する。この期間thは、遅延部６５１によって計時された期間である。
【００３９】
時刻ｔ１から期間trだけ経過した時刻ｔ２において、ＶＣＯＭ信号の立ち上がりが終了する。なお、ここではＶＣＯＭ信号の立ち上がりを示しているが、ＶＣＯＭ信号の立ち下がりの場合もある。
時刻ｔ２から期間tsだけ経過した時刻ｔ３において、ＶＣＯＭ反転フラグが立ち下がる。
【００４０】
図８は、ＶＣＯＭの反転によりデータ送信が保留された場合を示すタイムチャートである。なお、以下の図８から図１０に示すイネーブル信号は、包絡線を記載している。イネーブル信号のグラフがＨレベルとして示されているとき、複数のパルス信号が出力されている。このイネーブル信号が出力されているとき、画像データが液晶パネルに出力される。
時刻ｔ１０において、ＶＣＯＭ反転カウンタ６１３は、周期tc相当に到達し、その後にリセットされる。これによりＶＣＯＭ反転フラグは立ち上がる。
【００４１】
時刻ｔ１１は、時刻ｔ１０から期間thだけ経過した時刻である。この時刻ｔ１１において、ＶＣＯＭ信号が立ち上がり、かつイネーブル送信フラグ６１１がオフからオンに遷移する。通常はイネーブル送信フラグ６１１の立ち上がりとイネーブル信号の立ち上がりは同時である。しかし、時刻ｔ１１において、イネーブル信号は立ち上がっておらず、保留されている。図８では、このことを破線で示している。
【００４２】
時刻ｔ１２は、時刻ｔ１１から期間（tr+ts）だけ経過した時刻である。この時刻ｔ１２において、ＶＣＯＭ反転フラグはオフに遷移し、同時にイネーブル信号が立ち上がる。
このように、ＶＣＯＭ反転フラグがオンしている間、イネーブル送信フラグがオフからオンに遷移しても、イネーブル信号の出力は保留される。これにより、ＶＣＯＭ反転信号と画像データ信号の競合を避けることができる。
【００４３】
時刻ｔ１３において、ＶＣＯＭ反転カウンタ６１３は、周期tc相当に到達し、その後にリセットされる。これによりＶＣＯＭ反転フラグは立ち上がる。
【００４４】
時刻ｔ１４は、時刻ｔ１３から期間thだけ経過した時刻である。この時刻ｔ１３において、ＶＣＯＭ信号は立ち下がり、よって極性が反転する。
【００４５】
時刻ｔ１５は、時刻ｔ１４から期間（tr+ts）だけ経過した時刻である。この時刻ｔ１５において、ＶＣＯＭ反転フラグはオフに遷移する。この時刻ｔ１３〜ｔ１５において、イネーブル送信フラグがオフからオンに遷移していないので、イネーブル信号は出力されない。
【００４６】
ＶＣＯＭ反転フラグがオンしている間とは、ＶＣＯＭ信号の反転前の期間thから、反転後の期間（tr+ts）までであり、このときイネーブル信号の出力は保留される。このように、交流信号の極性が反転する前の期間thから交流信号の極性が反転した後の期間（tr+ts）に亘って、イネーブル信号の出力は保留される。これにより、ＶＣＯＭ反転信号と画像データ信号の競合を避けることができる。
【００４７】
図９は、データ送信によりＶＣＯＭの反転が保留された場合を示すタイムチャートである。
時刻ｔ２０において、イネーブル送信フラグがオフからオンに遷移し、同時にイネーブル信号の出力が開始される。
時刻ｔ２１において、イネーブル送信フラグはオンである。ＶＣＯＭ反転カウンタ６１３は、周期tc相当に到達し、その後にリセットされる。しかし、イネーブル送信フラグがオンであるので、ＶＣＯＭ反転フラグの立ち上がりは保留されている。図９では、ＶＣＯＭ信号が保留されている期間を破線で示している。
【００４８】
時刻ｔ２２は、時刻ｔ２１から期間thだけ経過した時刻である。この時刻ｔ２２において、本来ならばＶＣＯＭ信号の極性が反転する筈であるが、イネーブル送信フラグがオンしているので、ＶＣＯＭ信号の極性反転は保留されている。図９では、このことを破線で示している。
【００４９】
時刻ｔ２３において、イネーブル信号の出力が終了し、同時にイネーブル送信フラグがオンからオフに遷移する。これにより、ＶＣＯＭ反転フラグが立ち上がる。
時刻ｔ２４は、時刻ｔ２３から期間thだけ経過した時刻である。この時刻ｔ２４において、ＶＣＯＭ信号の極性が反転する。
【００５０】
時刻ｔ２５は、時刻ｔ２４から期間（tr+ts）だけ経過した時刻である。この時刻ｔ２５において、ＶＣＯＭ反転フラグが立ち下がる。
このように、イネーブル送信フラグがオンしている間、ＶＣＯＭ反転カウンタ６１３が周期tc相当に到達しても、ＶＣＯＭ反転フラグの遷移は保留される。つまり、イネーブル送信フラグがオンしている間と、その後の期間thに亘って、ＶＣＯＭ信号の反転は保留される。これにより、ＶＣＯＭ反転信号と画像データ信号の競合を避けることができる。
【００５１】
時刻ｔ２６〜ｔ２８の各信号の動作は、図８に示した時刻ｔ１０〜ｔ１２における各信号の動作と同様である。
【００５２】
図１０は、データ送信とＶＣＯＭ反転カウンタ６１３のイベントが同時の発生した場合を示すタイムチャートである。
時刻ｔ３０において、イネーブル送信フラグがオフからオンに遷移し、同時にイネーブル信号の出力が開始される。同時にＶＣＯＭ反転カウンタ６１３は、周期tc相当に到達し、その後にリセットされる。しかし、イネーブル送信フラグがオンしているので、ＶＣＯＭ反転フラグの立ち上がりは保留されている。図１０では、ＶＣＯＭ信号が保留されていることを破線で示している。
【００５３】
時刻ｔ３１は、時刻ｔ３０から期間thだけ経過した時刻である。この時刻ｔ３１において、本来ならばＶＣＯＭ信号の極性が反転する筈であるが、イネーブル送信フラグがオンしているので、ＶＣＯＭ信号の極性反転は保留されている。図１０では、このことを破線で示している。
【００５４】
時刻ｔ３２において、イネーブル信号の出力が終了し、同時にイネーブル送信フラグがオンからオフに遷移する。これにより、ＶＣＯＭ反転フラグが立ち上がる。
時刻ｔ３３は、時刻ｔ３２から期間thだけ経過した時刻である。この時刻ｔ３３において、ＶＣＯＭ信号の極性が反転する。
【００５５】
時刻ｔ３４は、時刻ｔ３３から期間（tr+ts）だけ経過した時刻である。この時刻ｔ３４において、ＶＣＯＭ反転フラグが立ち下がる。
このように、イネーブル送信フラグがオンすると同時にＶＣＯＭ反転カウンタ６１３が周期tc相当に到達しても、ＶＣＯＭ反転フラグの遷移は保留される。これにより、ＶＣＯＭ反転信号と画像データ信号の競合を避けることができる。
【００５６】
時刻ｔ３５〜ｔ３７の各信号の動作は、図８に示した時刻ｔ１０〜ｔ１２における各信号の動作と同様である。
【００５７】
《本実施形態の効果》
液晶の極性信号（ＶＣＯＭ）が先に出力された場合と、画像データが先に出力された場合の両方において、２つの信号の競合を避けることができる。
【００５８】
（変形例）
本発明は、上記実施形態に限定されることなく、本発明の趣旨を逸脱しない範囲で、変更実施が可能であり、例えば、次の（ａ）〜（ｄ）のようなものがある。
（ａ）  液晶制御部６０が搭載されるのは、電子時計１に限定されず、任意の電子機器であってもよい。例えば、電子書籍リーダやタブレット、心拍計、歩数計、温度計、ストップウオッチなどであってもよい。
【００５９】
（ｂ）  液晶制御部６０が、ＶＣＯＭ反転カウンタ６１３の出力を受けてからＶＣＯＭを反転するまでの期間thは、ＶＣＯＭ反転信号とデータ信号の競合を避けることができる最小期間に限定されず、前記した最小期間から５００ミリ秒までの間のいずれの値であってもよい。なお５００ミリ秒とは、ＶＣＯＭの反転周期である周期tcが１秒である場合、且つ１秒間隔の書き換え動作（例えば、電子時計の秒桁の書き換え動作）を行う場合における最大周期である。
【００６０】
（ｃ）  液晶制御部６０がＶＣＯＭを反転してから、データ送信を保留する期間（tr+ts）は、ＶＣＯＭ反転信号とデータ信号の競合を避けることができる最小期間に限定されず、前記した最小期間から５００ミリ秒までの間のいずれの値であってもよい。なお５００ミリ秒とは、ＶＣＯＭの反転周期である周期tcの半分である。
【００６１】
（ｄ）  ＲＯＭ４に画像データが格納され、画像データ出力部６２は、ＣＰＵ２が出力するイネーブル送信フラグ６１１に基づき、ＲＯＭ４に格納された画像データを液晶パネル７に転送してもよい。
【００６２】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
画像信号に応じた電位を保持し、イネーブル信号の活性化により保持する電位を変更する記憶素子、および、前記記憶素子が保持する電位に応じた電圧が印加される表示素子を備えた画素が複数配されている液晶パネルを駆動制御する液晶制御回路であって、
前記液晶制御回路は、前記イネーブル信号の出力を、前記表示素子に印加する交流電圧の極性を反転させる前の第１の所定期間から、前記交流電圧の極性を反転させた後の第２の所定期間に亘って保留し、
前記表示素子に印加する交流電圧の極性反転を、前記イネーブル信号の出力期間とその後の前記第１の所定期間に亘って保留する、
ことを特徴とする液晶制御回路。
《請求項２》
前記表示素子に印加する交流電圧の極性は、前記イネーブル信号の出力によって保留されないとき、予め定められた周期で反転する、
ことを特徴とする請求項１に記載の液晶制御回路。
《請求項３》
画像信号に応じた電位を保持する記憶素子、および、前記記憶素子が保持する電位に応じた電圧が印加される表示素子を備えた画素が複数配されている液晶パネルを駆動制御する液晶制御回路であって、
前記液晶制御回路は、前記表示素子に印加する交流電圧の極性反転を要求する反転要求信号を予め定められた周期で出力するカウンタと、
前記反転要求信号により交流電圧の極性を反転させる極性反転部と、
出力要求信号により、前記液晶パネルへ出力する前記画像信号を活性化するイネーブル信号を出力するイネーブル信号出力部と、
前記反転要求信号を前記極性反転部に出力するか、または前記出力要求信号を前記イネーブル信号出力部に出力するかを決定する排他出力制御部と、
を備えることを特徴とする液晶制御回路。
《請求項４》
前記極性反転部は、前記反転要求信号から第１の所定期間が経過すると、交流電圧の極性を反転させる、
ことを特徴とする請求項３に記載の液晶制御回路。
《請求項５》
請求項１から４のうちいずれか１項に記載の液晶制御回路と、
前記液晶パネルと、
を備えた電子時計。
《請求項６》
画像信号に応じた電位を保持し、イネーブル信号の活性化により保持する電位を変更する記憶素子、および、前記記憶素子が保持する電位に応じた電圧が印加される表示素子を備えた画素が複数配されている液晶パネルを駆動制御する液晶制御方法であって、
前記表示素子に印加する交流電圧の極性を反転させたのちに、前記イネーブル信号の出力を、前記表示素子に印加する交流電圧の極性を反転させる前の第１の所定期間から、前記交流電圧の極性を反転させた後の第２の所定期間に亘って保留し、
前記表示素子に印加する交流電圧の極性反転を、前記イネーブル信号の出力期間と、その後の前記第１の所定期間に亘って保留する、
ことを特徴とする液晶制御方法。
【符号の説明】
【００６３】
１  電子時計
２  ＣＰＵ
３  発振器
４  ＲＯＭ
５  ＲＡＭ
６  ペリフェラル部
６０  液晶制御部  （液晶制御回路）
６１  タイミング管理部
６１１  イネーブル送信フラグ
６１２  排他出力制御部
６１３  ＶＣＯＭ反転カウンタ
６２  画像データ出力部
６３  イネーブル信号出力部
６４  ＶＣＯＭ反転フラグ出力部
６５  ＶＣＯＭ信号生成部  （極性反転部）
６５１  遅延部
６５２  ＶＣＯＭ出力部
６６  タイマ
６７  割込信号生成部
７  液晶パネル
【図１】
2019168528.tif 000003
【図２】
2019168528.tif 000004
【図３】
2019168528.tif 000005
【図４】
2019168528.tif 000006
【図５】
2019168528.tif 000007
【図６】
2019168528.tif 000008
【図７】
2019168528.tif 000009
【図８】
2019168528.tif 000010
【図９】
2019168528.tif 000011
【図１０】
2019168528.tif 000012